(57)【特許請求の範囲】
【請求項１】
各階のエレベータ乗り場に設置され通常運転時は現在のかご位置が表示され行先階登録時には巡回する一連の各階床を示す階床データが表示されパーキング時間設定時にはパーキング時間設定のための巡回する一連の時分を示す数値が表示されるデジタル表示器と、各階のエレベータ乗り場に設置され前記通常運転時、前記行先階登録時または前記パーキング時間設定時の前記デジタル表示器の表示モードを設定するための表示切換スイッチと、かごのパーキング時間の設定の際に操作されパーキング時間の設定を許可するパーキングスイッチと、前記表示切換スイッチにより表示モードが行先階登録モードになっているときに前記デジタル表示器に表示される一連の階床データから行先階を選択し登録すると共に、前記表示切換スイッチにより表示モードがパーキング時間設定モードになっており前記パーキングスイッチが操作されているときに前記デジタル表示器に表示される一連の数値からパーキング時間を選択し登録するための設定ボタンとを備えたことを特徴とするエレベータ制御装置。
【請求項２】
前記デジタル表示器に表示される一連の階床データは、通常運転時に表示される現在のかご位置とは別の色で表示されるようにしたことを特徴とする請求項１に記載のエレベータ制御装置。
【請求項３】
前記デジタル表示器に表示される一連の数値は、通常運転時に表示される現在のかご位置とは別の色で表示されるようにしたことを特徴とする請求項１に記載のエレベータ制御装置。
【請求項４】
前記デジタル表示器に表示された数値が時分のいずれを設定するために表示された数値であるかを表示するための時分表示器を設けたことを特徴とする請求項１に記載のエレベータ制御装置。
【発明の詳細な説明】
【０００１】
【発明の属する技術分野】
本発明は、エレベータの乗り場に設置され行先階登録やパーキング時間の設定か可能なエレベータ制御装置に関する。
【０００２】
【従来の技術】
近年においては、建物の超々高層化や多目的が進み、そのような建物に設置されるエレベータの機能もインテリジェント化が進んでいる。また、エレベータの管理体制面でのセキュリティシステムの発展や、かご内またはホールでのディスプレイ装置によるインフォメーションの充実など、多くの機能面での新技術の採用が進められてきている。
【０００３】
最近では、インテリジェント化も進み、ホールに設けられた音声認識装置により行先階を発して音声登録するシステムや、三方枠に行先階を登録できるようにしたホール行先階登録操作盤を設置するシステムもある。いずれも技術やコスト面からも普及するまでに至っていない。
【０００４】
また、夜間などエレベータが利用されない時間や特定日には、エレベータを休止状態にするようにしている。これは、管理人が予め定めた基準階にかごを呼び、その基準階ホールに設けたパーキングスイッチを操作して、かごを基準階に停止させることにより行われる。そして、そのパーキング時間が経過すると、管理人により運転の再開が行われる。
【０００５】
【発明が解決しようとする課題】
しかしながら、一般の利用客がエレベータを利用する場合には、呼び登録等の使い勝手は従来のものとさほど変わっていない。例えば、かごが他階にいた場合に利用客がそのかごを呼ぶ場合には、ホール呼び登録ボタンを押す操作が必要であり、かごに乗り込んだ後には、目的階までかごを昇降させるためにかご呼び登録ボタンの操作が必要である。
【０００６】
そして、このかご呼び登録ボタンの操作においては、かご内が満員の場合などは非常に煩わしかった。また、身障者にとっては、乗り場にてホール呼び登録ボタンを押し、さらに、かご内に乗ってからかご呼び登録ボタンを押すことになるので負担が大きい。
【０００７】
また、エレベータの運転を休止する場合のパーキングスイッチの操作は管理人が操作しなければならない。最近では、エレベータ制御装置内にパーキング時間を設定する機能を設け、自動的に休止運転状態に切り替えるシステムもあるが、建物やフロアあるいは日によっては、休止運転時間が異なるような場合も発生する。この場合、パーキング時間を自由に設定変更することは困難であるので利便性に欠けることになる。
【０００８】
本発明の目的は、乗り場ホールで行先階登録やパーキング時間を簡単に設定変更できるエレベータ制御装置を提供することである。
【０００９】
【課題を解決するための手段】
請求項１の発明に係わるエレベータ制御装置は、各階のエレベータ乗り場に設置され通常運転時は現在のかご位置が表示され行先階登録時には巡回する一連の各階床を示す階床データが表示されパーキング時間設定時にはパーキング時間設定のための巡回する一連の時分を示す数値が表示されるデジタル表示器と、各階のエレベータ乗り場に設置され前記通常運転時、前記行先階登録時または前記パーキング時間設定時の前記デジタル表示器の表示モードを設定するための表示切換スイッチと、かごのパーキング時間の設定の際に操作されパーキング時間の設定を許可するパーキングスイッチと、前記表示切換スイッチにより表示モードが行先階登録モードになっているときに前記デジタル表示器に表示される一連の階床データから行先階を選択し登録すると共に、前記表示切換スイッチにより表示モードがパーキング時間設定モードになっており前記パーキングスイッチが操作されているときに前記デジタル表示器に表示される一連の数値からパーキング時間を選択し登録するための設定ボタンとを備えたことを特徴とする。
【００１０】
請求項１の発明に係わるエレベータ制御装置では、表示切換スイッチにより表示モードが行先階登録モードになっているときに、デジタル表示器に表示される一連の階床データから設定ボタンにより行先階を選択し登録する。また、表示切換スイッチにより表示モードがパーキング時間設定モードになっており、かつパーキングスイッチが操作されているときに、デジタル表示器に表示される一連の数値から設定ボタンによりパーキング時間を選択し登録する。
【００１１】
請求項２の発明に係わるエレベータ制御装置は、請求項１の発明において、前記デジタル表示器に表示される一連の階床データは、通常運転時に表示される現在のかご位置とは別の色で表示されるようにしたことを特徴とする。
【００１２】
請求項２の発明に係わるエレベータ制御装置では、請求項１の発明の作用に加え、表示モードが行先階登録モードであるときは、デジタル表示器に表示される一連の階床データを、通常運転時に表示される現在のかご位置とは別の色で表示する。
【００１３】
請求項３の発明に係わるエレベータ制御装置は、請求項１の発明において、前記デジタル表示器に表示される一連の数値は、通常運転時に表示される現在のかご位置とは別の色で表示されるようにしたことを特徴とする。
【００１４】
請求項３の発明に係わるエレベータ制御装置では、請求項１の発明の作用に加え、表示モードがパーキング時間設定モードであるときは、デジタル表示器に表示される一連の数値を、通常運転時に表示される現在のかご位置とは別の色で表示する。
【００１５】
請求項４の発明に係わるエレベータ制御装置は、請求項１の発明において、前記デジタル表示器に表示された数値が時分のいずれを設定するために表示された数値であるかを表示するための時分表示器を設けたことを特徴とする。
【００１６】
請求項４の発明に係わるエレベータ制御装置では、請求項１の発明の作用に加え、表示モードがパーキング時間設定モードであるときは、デジタル表示器に表示された数値が時分のいずれを設定するために表示された数値であるかを時分表示器に表示する。
【００１９】
【発明の実施の形態】
以下、本発明の実施の形態を説明する。図１は本発明の実施の形態に係わるエレベータ制御装置の構成図である。
【００２０】
操作盤１は各階床のエレベータの乗り場に設けられ、この操作盤１からその階床へのかご呼びを行うと共に、行先階登録やパーキング時間のデータ設定を行う。操作盤１で操作した操作信号は、入出力インターフェース２を介してマイクロプロセッサ（以下ＭＰＵと称する）に入力され、その操作信号に基づいてＭＰＵ３は各種演算を行う。また、操作盤１上には、現在のかご位置や操作した内容が表示される。
【００２１】
操作盤１のホール呼び登録ボタン４は、その階床にかごを呼び寄せるためのものであり、上方向のホール呼び登録ボタン４ａと下方向のホール呼び登録ボタン４ｂからなる。ホール呼び登録ボタン４が押されると、その操作信号は入出力インタフェース２の入力ラッチ回路５を介して、ＭＰＵ３の呼び登録制御手段６に入力され、そのホール呼びが登録される。より登録制御手段６に登録されたホール呼びはエレベータ運行制御手段７に入力され、運行中のかごがその階床に向かうように制御される。
【００２２】
表示出力制御手段８の位置表示出力手段９は、エレベータ運行制御手段７により運行中のかご位置を入出力インターフェース２の表示レジスタ１０を介して、操作盤１のデジタル表示器１１に表示する。また、ホール呼び登録ボタン４が押されたときは、そのボタンを点灯させ、かごがその階床に応答したときはそのボタンを消灯する。
【００２３】
操作盤１の表示切換スイッチ１２は、デジタル表示器１１の表示モードの切換えを行うためのスイッチであり、通常運転モードとデータ設定モードとの切り替えを行う。表示切換スイッチ１２がオフのときは表示モードとして通常運転モードが選択されているときであり、デジタル表示器１１には、上述のように運行中のかごの現在位置が表示される。一方、表示切換スイッチ１２がオンとなりデータ設定モードのときは、デジタル表示器１１には、行先階登録やパーキング時間の設定に必要なデータが表示される。この場合、デジタル表示器１１には通常運転時のかご位置表示とは別の色でデータを表示することも可能である。その場合には、設定モードであることが直観的に分かる。
【００２４】
また、操作盤１のパーキングスイッチ１３は、エレベータを運転休止させる時間を設定する場合に、その設定を許可するためのスイッチであり、設定ボタン１４は、データ設定モードの際にデジタル表示器１１に表示されるデータから必要なデータを選択し登録するためのものである。これらの表示切換スイッチ１２、パーキングスイッチ１３および設定ボタン１４は、エレベータ管理者により操作される。
【００２５】
いま、表示切換スイッチ１２がオンとなり表示モードとしてデータ設定モードが選択されたとすると、その操作信号は入出力インターフェース２の入力ラッチ回路５を介して表示出力制御手段８に入力される。表示出力制御手段８では、表示切換スイッチ１２がオンの状態となると、パーキングスイッチ１３がオンオフのいずれの状態であるかを判定し、パーキングスイッチ１３がオフの状態であるときは、データ設定は行先階登録の設定であると判定する。
【００２６】
この場合には、表示制御手段８はそのエレベータの最下階から最上階をＡレジスタ１５およびＢレジスタ１６で表現することになる。つまり、１桁もしくは２桁の階床位置表示と同じで、例えば、最下階の「Ｂ１」から「１」、「２」〜そして最上階の「Ｚ」と、各階床を所定の時間間隔で更新し巡回表示する。
【００２７】
すなわち、表示出力制御手段８内のタイマーにより予め設定された時間分だけ一つの階床の表示を行い、その設定された時間が経過すると次の階床を表示することになる。そして、例えば、最下階の「Ｂ１」が表示されている間に設定ボタン１４を押すと、その最下階の「Ｂ１」が行先階として登録される。また、時間内でのリセットは、そのような巡回の更新表示中にホール呼登録ボタン４を操作したときにリセットされ、デジタル表示器１１の表示はかご位置表示に切換わる。
【００２８】
この場合、最下階の「Ｂ１」から最上階の「Ｚ」までの表示は、通常運転時のかご位置の表示色とは異なった色で表示する。
【００２９】
次に、表示切換スイッチ１２がオンでパーキングスイッチ１３がオン状態であるときは、デジタル表示器１１には２桁の数値「００」〜「９９」が表示される。この場合、数値「００」〜「９９」の表示は、通常運転時のかご位置の表示色とは異なった色で表示する。また、パーキングスイッチ１３がオンで時間設定制御手段１７から「時」あるいは「分」の表示が発せられると、デジタル表示器１１の近傍に配置された時分表示器１８の近傍に、「時」あるいは「分」が併せて表示される。これにより、表示の数値が「時」を意味するのか「分」を意味するのかの判断が容易になる。
【００３０】
すなわち、表示出力制御手段８のＡレジスタ１５に１桁目のデータを更新記憶し、Ｂレジスタ１６に２桁目のデータを更新記憶する。そして、表示レジスタ１０を介して、「００」から「９９」を所定の時間間隔で更新し巡回表示する。この場合、最初に「時」を表すこととし、設定ボタン１４が押されたときに表示されていた数値を時間設定制御手段１７の時レジスタ１９に保存し、再度、「００」から「９９」を所定の時間間隔で更新し巡回表示して、時間設定制御手段１７の「分」を表す数値を時間設定制御手段１７の分レジスタ２０に保存する。時間設置制御手段１７は、時レジスタ１９および分レジスタ２０に保存されたデータに基づいてかごのパーキング時間をタイムテーブル２１に設定する。
【００３１】
図２は、本発明の実施の形態に係わるエレベータ制御装置での行先階の登録を行う場合の動作を示すフローチャートである。この行先階登録サブルーチンは、エレベータの運行制御の主制御プログラムのサブルーチンとして起動される。
【００３２】
まず、表示切換スイッチ１２がオンであるか否かを判定し（Ｓ１）、表示切換スイッチ１２がオンであるときは、パーキングスイッチ１３がオフであるか否かを判定する（Ｓ２）。パーキングスイッチ１３がオフであるときは、Ａレジスタ１５およびＢレジスタ１６をクリアし（Ｓ３）、最初に最下階位置表示データ「Ｂ１」をＡレジスタ１５およびＢレジスタ１６に転送する（Ｓ４）。
【００３３】
次に、デジタル表示器１１にＡレジスタ１５およびＢレジスタ１６に記憶した数値を一定時間表示させるために、内蔵する表示タイマーを作動させると共に（Ｓ５）、表示レジスタ１０にＡレジスタ１５およびＢレジスタ１６に記憶した数値の出力指令を出力する（Ｓ６）。これにより、これにより、デジタル表示器１１の表示は、エレベータかごの現在位置表示から最下階から最上階までの階床名称表示に切り替わる（Ｓ７）。この状態では、デジタル表示器１１には「Ｂ１」が表示される。
【００３４】
次に、設定ボタン１４が押されたか否かを判定し（Ｓ８）、設定ボタン１４が押されているときは、表示切換スイッチ１２の確認を行い（Ｓ９）、表示切換スイッチ１２のオン状態を検出すると、この階床名表示中であった階「Ｂ１」のかご呼び登録が呼び登録制御手段６に自動的になされる（Ｓ１０）。
【００３５】
一方、ステップＳ８の判定で、設定ボタン１４が操作されずオフ状態であると、表示タイマーが所定の時間（例えば、０．５秒）カウントされたか否かを判定する（Ｓ１１）。そして、所定の時間（例えば、０．５秒）が経過していないときは、ステップＳ６に戻り現在表示中の階床「Ｂ１」の表示を継続する。つまり、現在表示中の階床「Ｂ１」は０．５秒の間表示されることになる。
【００３６】
そして、所定の時間（例えば、０．５秒）が経過すると、次階の階床名「０１」を表示すべくＡレジスタ１５およびＢレジスタ１６の内容を確認する。これはこのＡレジスタ１５およびＢレジスタ１の内容が最大データ「Ｚ」であるか否かの判定で行う（Ｓ１２）。最大データは階床の最高階のデータ「Ｚ」をセットしておく。
【００３７】
ここで、Ａレジスタ１５およびＢレジスタ１６の内容が前述の最大データでない場合は、Ａレジスタ１５に「１」を加算する（Ｓ１３）。つまり、この処理によって、次階「０１」の階床名が表示されるようになる。Ａレジスタ１５およびＢレジスタ１６に次階のデータをストアし（Ｓ１４）、その後、ステップＳ６に戻り、再度、所定の時間（０．５秒）だけ同一階床名「０１」が表示されるべく制御がなされる。そして、最下階「Ｂ１」から最上階「Ｚ」まで順次に１階床毎に所定の時間（０．５秒）表示した後は、一旦、Ａレジスタ１５およびＢレジスタ１６をクリアにし（Ｓ１５）、改めて最下階「Ｂ１」の表示を行うように制御される。
【００３８】
次に、図３は本発明の実施の形態に係わるエレベータ制御装置でのパーキング時間帯の設定を行う場合の動作を示すフローチャートである。このパーキング時間帯設定サブルーチンは、エレベータの運行制御の主制御プログラムのサブルーチンとして起動される。
【００３９】
まず、表示切換スイッチ１２がオンであるか否かを判定し（Ｓ１）、表示切換スイッチ１２がオンであるときは、パーキングスイッチ１３がオンであるか否かを判定する（Ｓ２）。パーキングスイッチ１３がオンであるときは、表示されるべき数値の１桁目の数値を記憶するためのＡレジスタ１５をクリアし（Ｓ３）、２桁目の数値を記憶するためのＢレジスタ１６をクリアする（Ｓ４）。
【００４０】
そして、Ａレジスタ１５の内容を表示レジスタ１０に転送すると共に（Ｓ５）、Ｂレジスタ１６の内容を表示レジスタ１０に転送する（Ｓ６）。また、表示タイマーを作動させ、デジタル表示器１１に数値を表示させるための一定時間をカウントする（Ｓ７）。
【００４１】
表示レジスタ１０にＡレジスタ１５およびＢレジスタ１６から転送された２桁の数値を表示させるべくＡレジスタ１５およびＢレジスタ１６からのデータをデジタル表示器１１に出力する（Ｓ８）。これによって、デジタル表示器１１の表示は、エレベータかごの現在位置表示から「００」に切り換わる。
【００４２】
ここで操作盤１上の設定ボタン１４がオンか否かを判定し（Ｓ９）、オフであるときは表示タイマーが所定時間（例えば０．５秒）をカウントしたか否かを判断する（Ｓ１０）。表示タイマーが所定時間（例えば０．５秒）をカウントしていないときは、ステップＳ８に戻る。この間は、デジタル表示器１１に同じ数値が表示される。つまり、同じ数値は約０．５秒間表示されることになる。
【００４３】
一方、ステップＳ９の判定で操作盤１上の設定ボタン１４がオンであるときは、時レジスタ１９および分レジスタ２０を設定ボタン１４のオン後に、１回のみクリアする（Ｓ１１）。そして、後述する時間設定制御サブルーチン（Ｓ１２）へ移行する。
【００４４】
一方、ステップＳ１０の判定で表示タイマーがタイムアウト状態となったときは、表示切換スイッチ１２がオン状態のままであるか否かを判定し（Ｓ１３）、表示切換スイッチ１２がオン状態であるときは、タイムテーブル２１の作成のための入力操作が未終了であると判断してステップＳ１４に移行する。ステップＳ１４では、Ａレジスタ１５の内容が「９」であるか否かを判断し。「９」に満たないときは「１」だけＡレジスタの値を増加する（Ｓ１５）。
【００４５】
Ａレジスタ１５の値が「９」であるときは、その値を「０」から「９」の範囲内で巡回させるべくＡレジスタ１５をクリアする（Ｓ１６）。Ａレジスタ１５の値が「９」から「１」だけ歩進することによって、桁上がりが生ずるとＢレジスタ１６の値が「９」か否かを判定し（Ｓ１７）、「９」未満であれば第２桁の値を表すＢレジスタ１６の値を「１」だけ増加させる（Ｓ１８）。
【００４６】
ステップＳ１４〜ステップＳ１８によりＡレジスタ１５およびＢレジスタ１６の値を順次増加して、表示時間を「００」〜「９９」まで変化させる。値が「９９」になると、ステップＳ３に戻りＡレジスタ１５およびＢレジスタ１６をクリアし「００」から再度数値を巡回させる。
【００４７】
一方、ステップＳ１３の判定で表示切換スイッチ１２がオフであると判定されたときは、表示レジスタ１０の出力切換を指令し、通常運転のかご位置の表示に切り替えることになる。
【００４８】
このように、ステップＳ５〜ステップＳ１０によってデータの転送と表示がなされ、ステップＳ３、ステップＳ４、ステップＳ１４〜ステップＳ１８によって数値の巡回がなされる。そして、ステップＳ９で設定ボタン１４が押されたときにステップ１２により時間設定制御サブルーチンが起動される。
【００４９】
図４はその時間設定制御サブルーチン（Ｓ１２）の内容を示すフローチャートである。時間設定制御サブルーチンが起動されると、時分の内の「時」部分を記憶すべき時レジスタ１９に数値が記憶されているか否かを判断する（Ｓ２０）。時レジスタ１９が空いていると判定されたときは、操作者に時間を入力させるべく時分表示器１８に「時」の表示を指令する（Ｓ２１）。
【００５０】
次に、操作者によって、設定ボタン１４が押されたかどうかを入力ラッチ回路５の出力により判断する（Ｓ２２）。設定ボタン１４が押圧されているときは、現在の表示時間を操作者が選択したことになるから、Ａレジスタ１５およびＢレジスタ１６の記憶データを時レジスタ２３に記憶する（Ｓ２３）。そして、Ａレジスタ１５およびＢレジスタ１６を分表示のために使用すべくリセットして、記憶内容を「００」とする（Ｓ２４）。一方、ステップＳ２２の判定で、設定ボタン１４が押されていない場合には、図３のステップＳ１０に移行し、数値を所定時間（約０．５秒）表示した後、表示数字を進めるべく図３のステップＳ１３〜ステップＳ１８を実行して、再度、ステップＳ１２の時間設定制御サブルーチンに戻る。
【００５１】
ステップＳ２０で時レジスタ１９に数値が記憶されたと判定されると、ステップＳ２５に移行する。ステップＳ２５では、時分の内の「分」の部分を記憶すべき分レジスタ２０に数値が記憶されているか否かを判断する。この判定で、数値が記憶されている判定されたときは、ステップＳ２６で、時レジスタ１９および分レジスタ２０をリセットする。
【００５２】
一方、ステップＳ２５の判定で、数値が記憶されていないと判定されたときは、時分表示器１８への「時」表示指令を撤回して「分」表示を指令し、「時」に替えて「分」を表示させる（Ｓ２７）。これにより、操作者に「分」の選択を促す。そして、設定ボタン１４が押されたかどうかを入力ラッチ回路５の出力によって判断する（Ｓ２８）。
【００５３】
設定ボタン１４が押圧されると、Ａレジスタ１５およびＢレジスタ１６の数値を分レジスタ２０に取り込む（Ｓ２９）。そして、後述のパーキング運転設定サブルーチンに移行し（Ｓ３０）、パーキング運転設定サブルーチンが終了すると、時レジスタ１９および分レジスタ２０をリセットする（Ｓ３１）。
【００５４】
一方、設定ボタン１４が押されていないときは、図３のステップ１０に移行し、数値を所定時間（約０．５秒）表示した後、表示数字を進めるべく図３のステップＳ１３〜ステップＳ１８を実行して、再度、ステップＳ１２の時間設定制御サブルーチンに戻る。
【００５５】
図５は、図４のステップＳ３０におけるパーキング運転設定サブルーチンの内容を示すフローチャートである。パーキング運転設定サブルーチンが起動されると、まず、設定ボタン１４が押圧されるのを待つ（Ｓ３２）。そして、設定ボタン１４が押されたときは予め記憶されているパーキング階を取り込む（Ｓ３３）。
【００５６】
次に、時レジスタ１９および分レジスタ２０に記憶された内容および取り込んだパーキング階に基づいてタイムテーブル２１を形成し（Ｓ３４）、その形成したタイムテーブル２１を時分順で並び替える（Ｓ３５）。このようにして形成されたタイムテーブル２１の例を図６に示す。
【００５７】
図６において、パーキング階の欄の「１」は設定時間内におけるパーキング指定階を示している。アドレス「０００１」にはパーキングオンの時刻が示されており、「２２」時「００」分にパーキング状態になり１階で運転休止となることを示している。そして、アドレス「０００２」にはパーキングオフの時刻が示されており、「６」時「００」分にパーキング状態が解除されることを示している。
【００５８】
ここで、図３のパーキング時間帯の設定の実行中に、表示切換スイッチ１２が切換えられてフラグが消滅すると（Ｓ１３）、タイムテーブル２１の作成は終了したから、デジタル表示器１１を通常のかごの現在位置の表示に戻して（Ｓ１９）、エレベータの運行制御の主制御プログラムに戻る。主制御プログラムの実行中にパーキング設定時間になると、上記タイムテーブル２１が参照される。従って、設定された時間が到来する度にパーキング状態と通常運転状態とが切り換わる制御がなされる。こうしてパーキング時間の設定が乗り場の操作盤１上で簡単に行うことができる。
【００５９】
【発明の効果】
以上述べた本発明によれば、エレベータの乗り場の操作盤上のスイッチ、ボタンおよびデジタル表示器を活用し、乗り場側にて操作者が目的とする階の行先階呼登録が可能となる。また、エレベータの運転を休止させる自動パーキング運転の運転時間を簡単に入力し設定できる。このことから、エレベータの利便性の向上や管理業務の簡素化が図れるエレベータ制御装置を提供できる。
【図面の簡単な説明】
【図１】図１は、本発明の実施の形態に係わるエレベータ制御装置の構成図である。
【図２】図２は、本発明の実施の形態に係わるエレベータ制御装置での行先階の登録を行う場合の動作を示すフローチャートである。
【図３】図３は、本発明の実施の形態に係わるエレベータ制御装置でのパーキング時間帯の設定を行う場合の動作を示すフローチャートである。
【図４】図４は、図３のステップＳ１２における時間設定制御サブルーチンの内容を示すフローチャートである。
【図５】図５は、図４のステップＳ３０におけるパーキング運転設定サブルーチンの内容を示すフローチャートである。
【図６】図６は、本発明の実施の形態におけるタイムテーブルの説明図である。
【符号の説明】
１  操作盤
２  入出力インターフェース
３  マイクロプロセッサ
４  ホール呼び登録ボタン
５  入力ラッチ回路
６  呼び登録制御手段
７  エレベータ運行制御手段
８  表示出力制御手段
９  位置表示出力手段
１０  表示レジスタ
１１  デジタル表示器
１２  表示切換スイッチ
１３  パーキングスイッチ
１４  設定ボタン
１５  Ａレジスタ
１６  Ｂレジスタ
１７  時間設定制御手段
１８  時分表示器
１９  時レジスタ
２０  分レジスタ
２１  タイムテーブル
【図１】
0003540172.tif 000002
【図２】
0003540172.tif 000003
【図３】
0003540172.tif 000004
【図４】
0003540172.tif 000005
【図５】
0003540172.tif 000006
【図６】
0003540172.tif 000007